(57)【特許請求の範囲】
【請求項１】
必要とするタイミングで所定のパルス幅の信号を出力する第１の単安定マルチバイブレータと、前記第１の単安定マルチバイブレータの出力信号を入力し微分して出力する微分回路と、前記微分回路から出力された信号を入力とし雑音が発生したときに動作する第２の単安定マルチバイブレータと、前記第１および第２の単安定マルチバイブレータから出力される信号の論理積をとりその結果を出力する論理積回路とを備えることを特徴とするパルス作成回路。
【請求項２】
前記論理積回路が否定的論理積回路であることを特徴とする請求項１記載のパルス作成回路。
【請求項３】
請求項１，２いずれか1項に記載のパルス作成回路を有することを特徴とする通信装置。
【請求項４】
必要なパルス幅の第１の信号を第１の単安定マルチバイブレータから出力し、この第１の信号を入力し微分して所定幅のパルスを出力し、この所定幅のパルスを入力とし雑音が発生したときに第２の単安定マルチバイブレータを動作させ第２の信号を出力し、前記第１および第２の信号の論理積をとりその結果を出力することを特徴とするパルス作成回路における誤動作防止方法。
【請求項５】
前記論理積が否定的論理積であることを特徴とする請求項４記載のパルス作成回路における誤動作防止方法。
【請求項６】
前記雑音は静電気により発生する雑音であることを特徴とする請求項１，２いずれか1項に記載のパルス作成回路。
【請求項７】
前記雑音は静電気により発生する雑音であることを特徴とする請求項４または５記載のパルス作成回路における誤動作防止方法。
【発明の詳細な説明】
【０００１】
【発明の属する技術分野】
本発明はパルス作成回路およびその誤動作防止方法ならびに通信装置に関し、特に単安定マルチバイブレータ（以下，モノマルチと呼称する）を利用してあらかじめ定められたパルス幅の信号を出力するパルス作成回路およびその誤動作防止方法ならびに通信装置に関する。
【０００２】
【従来の技術】
従来、ある信号の立ち上がりまたは、立ち下がりをトリガにあらかじめ決められたパルス幅の信号を作成する場合、例えば図６に示すようにモノマルチを１つだけ用いてパルス作成を行っていた。図６において、モノマルチ３は入力端子Ａをグランドに接続し、入力端子Ｂはモノマルチ３を動作させるトリガ信号となる入力信号を接続する。抵抗１およびコンデンサ２はモノマルチ３に接続され、モノマルチ３にトリガがかかった場合出力する信号のパルス幅を決定する。このとき、ノイズなどが発生しない環境ではこのパルス作成回路は正常に動作する。
【０００３】
【発明が解決しようとする課題】
上述したモノマルチを用いた従来のパルス作成回路では、静電気などの雑音（ノイズ）が発生したとき、グランドの強化対策も、ノイズの遮断対策も行っていないと、ノイズの影響でグランドが不安定となり、モノマルチの内部でトリガがかかった状態になり、結果的に入力に信号が無いにも関わらず簡単に誤動作してパルスを出力する。そのため、本来必要としないタイミングでパルスを出力してしまう等の問題があった。
本発明の目的は、グランド強化やノイズの遮断対策を行うことなく、後段の回路に誤動作によるパルスを出力しないようにすることが可能なパルス作成回路およびその誤動作防止方法ならびに通信装置を提供することにある。
【０００４】
【課題を解決するための手段】
本発明のパルス作成回路は、必要とするタイミングで所定のパルス幅の信号を出力する第１の単安定マルチバイブレータと、前記第１の単安定マルチバイブレータの出力信号を入力し微分して出力する微分回路と、前記微分回路から出力された信号を入力とし雑音が発生したときに動作する第２の単安定マルチバイブレータと、前記第１および第２の単安定マルチバイブレータから出力される信号の論理積をとりその結果を出力する論理積回路とを備える構成であり、前記論理積回路が否定的論理積回路であってもよい。
【０００６】
本発明の通信装置は、必要とするタイミングで所定のパルス幅の信号を出力する第１の単安定マルチバイブレータと、前記第１の単安定マルチバイブレータの出力信号を入力し微分して出力する微分回路と、前記微分回路から出力された信号を入力とし雑音が発生したときに動作する第２の単安定マルチバイブレータと、前記第１および第２の単安定マルチバイブレータから出力される信号の論理積をとりその結果を出力する論理積回路あるいは否定的論理積回路とを備えるパルス作成回路を有する。前記雑音は静電気により発生する雑音であることを特徴とする。
【０００７】
本発明のパルス作成回路における誤動作防止方法は、必要なパルス幅の第１の信号を第１の単安定マルチバイブレータから出力し、この第１の信号を入力し微分して所定幅のパルスを出力し、この所定幅のパルスを入力とし雑音が発生したときに第２の単安定マルチバイブレータを動作させ第２の信号を出力し、前記第１および第２の信号の論理積をとりその結果を出力する構成であり、前記論理積が否定的論理積であってもよい。前記雑音は静電気により発生する雑音であることを特徴とする。
【０００８】
本発明によれば、静電気によるノイズが発生したときに、正規パルス幅出力用のモノマルチから誤動作によって出力される信号を、静電気検出用のモノマルチから出力される信号によってマスク，つまり打ち消すことにより、後段の回路に誤動作によるパルスを出力しないようにすることができる。
【０００９】
【発明の実施の形態】
次に、本発明の実施の形態について図面を参照して説明する。
【００１０】
図１を参照すると、本発明のパルス作成回路は、パルス幅を決定するための抵抗１およびコンデンサ２を接続しトリガとなる入力信号を入力し必要とするパルス幅の信号を出力する正規パルス幅出力用のモノマルチ３と、このモノマルチ３の出力信号を微分する微分回路４と、パルス幅を決定するための抵抗５およびコンデンサ６を接続しモノマルチ３と微分回路４とからの信号を入力とし静電気によるノイズが発生した場合に動作する静電気検出用のモノマルチ７と、モノマルチ３とモノマルチ７とから出力される信号の論理積をとリその結果を出力する論理積（ＡＮＤ）回路８とを備える。
【００１１】
モノマルチによって決められたパルス幅の信号を出力するパルス作成回路を有していて、人の出入りが激しいために静電気が頻繁に発生する場所に設置される通信装置，具体的な装置名としては、キャリアリレー装置、番組伝送制御装置等が挙げられる。キャリアリレー装置は、送電線の事故によって、発電機や変圧器等が壊れるのを防ぐために、送電線に流れる電流の情報を送受信するための通信装置であり、番組伝送制御装置は、番組を制御するための制御信号を映像信号や音声信号に重畳したり、重畳した信号を検出する装置である。尚、本発明のパルス作成回路は、上述した装置だけではなく、一般的な通信装置にも適用することもできる。
【００１２】
図１において、モノマルチ３は入力端子Ａをグランドに接続し、入力端子Ｂはモノマルチ３を動作させるトリガ信号となる入力信号を接続する。抵抗１およびコンデンサ２は、モノマルチ３に接続され、モノマルチ３にトリガがかかった場合出力する信号のパルス幅を決定する。モノマルチ３から出力された信号は微分回路４に入力され、微分回路４は入力信号を微分して出力する。微分回路４から出力された信号はモノマルチ７の入力端子Ｂに接続され、モノマルチ７の入力端子Ａは入力信号が接続される。モノマルチ７は入力端子Ａ，Ｂの入力信号の条件によって抵抗５およびコンデンサ６によって決められたパルス幅の信号を出力する。モノマルチ７から出力された信号はＡＮＤ回路８に接続される。ＡＮＤ回路８はモノマルチ７からの出力信号とモノマルチ３からの出力信号の論理積をとりその結果を出力する。
【００１３】
次に、本発明の実施の形態の動作を図１，図２，図３および図４を参照して説明する。この場合のモノマルチは便宜上リトリガタイプのものとする。また、モノマルチにトリガがかかるのは、入力端子Ａの信号がＬＯＷで入力端子Ｂの信号が立ち上がったとき、および入力端子Ｂの信号がＨＩで入力端子Ａの信号が立ち下がったときとする。
【００１４】
まず、静電気によるノイズの影響を受けていない場合の動作について説明する。モノマルチ３の入力端子Ｂへの入力信号は通常ＬＯＷになっており、必要なパルス幅の信号を出力したいときに図２のＳ１のようにＨＩに変化する。モノマルチ３はこの入力信号がＨＩに変化するのをトリガに、抵抗１およびコンデンサ２によって決められたパルス幅だけＨＩになる信号を出力Ｑから出力する（図２のＳ２）。出力Ｑから出力された信号は微分回路４に入力される。微分回路４では、入力信号を微分して出力するので、極短い幅だけＨＩになる信号を出力する（図２のＳ３）。
【００１５】
微分回路４の出力信号はモノマルチ７の入力端子Ｂに接続され、モノマルチ３の入力信号と同じ信号が入力端子Ａに接続される。そのため、入力端子Ｂへの入力信号が、ＨＩになっているときは入力端子Ａへの入力信号もＨＩになる。つまり、モノマルチ７にはトリガがかからなくなり、出力Ｑバーからも決められた幅のパルス信号が出力されなくなる（図２のＳ４）。
【００１６】
ＡＮＤ回路８はモノマルチ３からの出力信号と、モノマルチ７からの出力信号の論理積を出力する。モノマルチ７からの信号は常時ＨＩであるため、ＡＮＤ回路８からはモノマルチ３からの信号がそのまま出力される（図２のＳ５）。
【００１７】
次に静電気によるノイズが発生しモノマルチ３が誤動作した場合の動作について説明する。
【００１８】
静電気によるノイズが発生した場合、その影響によってグランドが不安定な状態になる。これによって、モノマルチ３の内部でトリガがかかった状態になり、出力Ｑから抵抗１およびコンデンサ２で決められたパルス幅だけＨＩになる信号が出力される（図３のＳ７）。このとき入力にはトリガ信号がないためＬＯＷのままである（図３のＳ６）。微分回路４はモノマルチ３からの信号を微分するため、極短い幅だけＨＩになる信号を出力する（図３のＳ８）。
【００１９】
一方、モノマルチ７の入力端子Ａにはモノマルチ３と同じ入力信号が入ってくるので、ＬＯＷのままである。入力端子Ｂには微分回路４からの信号が入力されるので、その信号をトリガにモノマルチ７は動作し、抵抗５およびコンデンサ６によって決められた幅だけＬＯＷになる信号を出力Ｑバーから出力する（図３のＳ９）。このとき、抵抗１およびコンデンサ２により設定されたパルス幅の値をＤ、抵抗５およびコンデンサ６により設定されたパルス幅の値をＥとし、Ｄ＜Ｅが成り立つようにする。そのためモノマルチ３の出力Ｑからはパルス幅ＤのＨＩ信号が出力され、モノマルチ７の出力Ｑバーからパルス幅ＥのＬＯＷ信号が出力される。
【００２０】
ＡＮＤ回路８はモノマルチ３から出力されるパルス幅ＤのＨＩ信号と、モノマルチ７から出力されるパルス幅ＥのＬＯＷ信号を入力としその論理積を出力するので、出力には常にＬＯＷの信号が出力される（図３のＳ１０）。つまり、静電気によるノイズが発生しても、モノマルチ７の出力によって、モノマルチ３のパルスを打ち消すようになるので、後段の回路に誤ったパルスを出力しなくなる。
【００２１】
次に静電気によるノイズが発生しモノマルチ３およびモノマルチ７が同時に誤動作した場合の動作について説明する。
【００２２】
モノマルチ３とモノマルチ７が同時に誤動作すると、モノマルチ３からは、抵抗１およびコンデンサ２によって決められたパルス幅だけＨＩになる信号（図４のＳ１１）が出力され、モノマルチ７からは、抵抗５およびコンデンサ６によって決められたパルス幅だけＬＯＷになる信号（図４のＳ１２）が出力される。そのため、ＡＮＤ回路８は、モノマルチ７から出力されたＬＯＷの信号によって打ち消されるので、出力からはＬＯＷの信号（図４のＳ１３）が出る。つまり静電気によるノイズが発生してモノマルチ３，７が同時に誤動作しても、後段の回路に誤ったパルスを出力することはない。
【００２３】
なお、本発明は上述した回路例に限定されるものではなく、例えば図５に示すように最終のゲートとして、ＡＮＤ回路８の代わりに、ＮＡＮＤ回路９を用いても、容易に同様の効果を得ることができる。この場合のパルス作成回路は、ＮＡＮＤ回路９以外は図１で示した構成と全く同じなので説明を省略する。
【００２４】
図５については、次のように動作になる。モノマルチ３およびモノマルチ７の出力までは、図１の動作と同じで、最終ゲートから出力される信号の論理が図１と反対になる。具体的には、モノマルチ３にトリガ信号が無い場合および、静電気によるノイズが発生した場合は、ＨＩレベルの信号を出力する。モノマルチ３にトリガ信号が入力された場合は、抵抗１およびコンデンサ２によって決められたパルス幅だけＬＯＷになる信号が出力される。
【００２５】
【発明の効果】
以上説明したように本発明によれば、グランド強化やノイズの遮断の対策を行うことなく、必要とするタイミングで信号を出力するモノマルチがノイズの誤動作によって出力したパルス信号をノイズ検出用のモノマルチから出力したパルスで打ち消すことによって、後段の回路に誤動作によるパルスを出力しないようにすることが可能となる。
【図面の簡単な説明】
【図１】本発明の信号作成回路の実施の形態を示す図である。
【図２】本発明の実施の形態の動作を説明するための波形図である。
【図３】本発明の実施の形態の動作を説明するための波形図である。
【図４】本発明の実施の形態の動作を説明するための波形図である。
【図５】本発明の信号作成回路の実施の形態におけるＡＮＤ回路をＮＡＮＤ回路に置換した場合を示す図である。
【図６】従来の信号作成回路の一例を示す図である。
【符号の説明】
１，５    抵抗
２，６    コンデンサ
３，７    モノマルチ
４    微分回路
８    ＡＮＤ回路
９    ＮＡＮＤ回路
【図１】
0003598989.tif 000002
【図２】
0003598989.tif 000003
【図３】
0003598989.tif 000004
【図４】
0003598989.tif 000005
【図５】
0003598989.tif 000006
【図６】
0003598989.tif 000007